(57)【要約】【課題】  単一の金銭決済を複数の電子キャッシングカードで実行する場合に割前勘定、その他各種の勘定形態に対応して決済速度を向上させると共に、電子キャッシングカードの利便性を向上させた電子キャッシングカードの決済システムを提供する。【解決手段】  複数の電子キャッシングカードとしてのＩＣカード１０の中の選択された所定枚数の代表のＩＣカード１０における暗証番号の一致を条件とし、この代表以外のＩＣカード１０に対して暗証番号を要求することなく、前記複数のＩＣカード１０の総てで単一の金銭決済を実行するようにしているので、レジスター２、ＰＯＳの端末装置の前さばきによる決済速度を迅速化できる。【選択図】    図１
2005115962.tif 000002
【特許請求の範囲】
【請求項１】
電子キャッシングカード内に格納された個人認証の一致を条件として、利用者がレジスターに入力した金額の決済を前記電子キャッシングカードを用いて実行する電子キャッシングカードの決済システムにおいて、
前記レジスターは、前記決済の対象となる金額、暗証番号等の数値が入力される数値入力手段と、前記電子キャッシングカード内に格納された個人認証の一致を判断する個人認証判断手段と、当該個人認証の一致を条件として前記入力された金額の決済処理を実行する決済手段とを備え、
前記入力された金額の決済を複数の電子キャッシングカードを用いてレジスターで単一の決済を実行する場合に、複数の電子キャッシングカードの中の一枚を代表として選択し、当該代表の電子キャッシングカードで決済された決済手段の金額が前記数値入力手段で入力された金額より少ないとき、前記代表以外の電子キャッシングカードについて個人認証を行うことなく前記決済手段が決済処理を実行することを
特徴とする電子キャッシングカードの決済システム。
【請求項２】
前記請求項１に記載の電子キャッシングカードの決済システムにおいて、
前記レジスターは、数値入力手段から入力された金額に対する支払い形態を選択する選択入力手段と当該選択された支払い形態に応じた前記代表の電子キャッシングカードによる決済の金額及び前記代表以外の電子キャッシングカードによる決済の金額を演算する金額演算手段とを備え、
前記演算された決済の金額に基づいて決済手段が決済処理を実行することを
特徴とする電子キャッシングカードの決済システム。
【請求項３】
前記請求項１又は２に記載の電子キャッシングカードの決済システムにおいて、
前記複数の電子キャッシングカードに対する前記個人認証判断手段による個人認証の一致判断の順番を設定し、当該設定された順番の電子キャッシングカードに対して個人認証を行うことを
特徴とする電子キャッシングカードの決済システム。
【請求項４】
前記請求項１ないし３のいずれかに記載の電子キャッシングカードの決済システムにおいて、
前記代表の電子キャッシングカードにより前記決済の代金中の所定金額を決済し、
前記代表以外の電子キャッシングカードにより前記決済の代金の残りの金額を分割した割前勘定代金を決済することを
特徴とする電子キャッシングカードの決済システム。
【発明の詳細な説明】
【技術分野】
【０００１】
本発明は、ＩＣカード、プリペイドカード等の電子マネーを対象とする電子キャッシングカードの決済システムに関し、特に複数の電子キャッシングカードで単一の金銭決済処理を各種態様で実行できる電子キャッシングカードの決済システムに関する。
【背景技術】
【０００２】
従来、この種の電子キャッシングカードとしては図５ないし図７に示すものがあった。この図５（Ａ）は従来の電子キャッシングカードにおけるＩＣカードタイプの概略ブロック構成図、図６は図５（Ａ）に記載のＩＣカードタイプにおけるデータレイアウト様式図を示す。
【０００３】
前記各図において従来の電子キャッシングカード１００は、個別認証の暗証番号を要求されることなく金銭の決済を実行する非個人認証金銭取扱メモリ１０１と、前記暗証番号を要求されて金銭の決済を実行する個人認証金銭取扱いについてのデータを格納する個人認証金銭取扱メモリ１０２と、前記非個人認証及び個人認証金銭取扱メモリ１０１、１０２に対するデータの書込み又は読出しを制御する書込・読出制御部１０３と、前記非個人認証及び個人認証の各金銭取扱いについての金銭の決済と、その他の各種制御演算を実行する制御演算部１０４と、この制御演算部１０４と本ＩＣカード１００が投入される店舗側Ｒ／Ｗ（Read/Write）装置又はＡＴＭ（Automatic Teller Machine of a Bank；自動預金支払い機）（共に図示を省略）との間でデータの入出力を実行する入出力部１０７とを備える構成である。
【０００４】
前記非個人認証金銭取扱メモリ１０１は、運営体の地区コード、カード発行の主体となる企業コード及びカード番号（Ｎｏ．）、個人情報等のデータが格納される一般データ領域１０１ａと、非個人認証金銭取扱いについて入金、出金、残高等が履歴として書込まれ、また更新される非個人認証金銭取扱領域１０１ｂとを備える構成である。前記個人認証金銭取扱メモリ１０２は、前記非個人認証金銭取扱メモリ１０１と同様に一般データ領域１０２ａ（同図（Ａ）では１０１ａに相当）及び個人認証金銭取扱領域１０２ｂ（同図（Ａ）では１０１ｂに相当）を共通して備え、この構成に加え、前記一般データ領域１０２ａの個人情報中に暗証番号が格納される構成である。
【０００５】
次に、前記構成に基づく従来の電子キャッシングカードの決済動作を図７を参照して説明する。この図７は、図５（Ａ）に記載の電子キャッシングカードの非個人認証及び個人認証の各金銭取扱いにおける決済動作フローチャートを示す。
同図において電子キャッシングカードの持主である消費者が商店で買物等をし、この買物の金額がＰＯＳ（Point of sales System）の端末装置（図示を省略）から売上代金として入力される（ステップ１０１）。この売上代金を消費者が非個人認証又は個人認証の各金銭取扱いのいづれかで決済を実行するかを暗証番号の入力の有無により判断する（ステップ１０２）。
【０００６】
前記暗証番号が入力されることなく決済を実行すると判断された場合には、非個人認証金銭取扱いで決済を実行し、非個人認証金銭取扱領域１０１ｂの非認証残高１０１ｃを書込・読出制御部１０３を介して読込む（ステップ１０３）。この読込まれた非認証残高１０１ｃと前記売上代金とを比較し（ステップ１０４）、非認証残高１０１ｃが売上代金の額より大きいか又は等しいと判断された場合には、非個人認証金銭取扱領域１０１ｂによる支払いを実行する（ステップ１０５）。
この非個人認証金銭取扱いによる決済が実行された後の非認証残高１０１ｃを更新し（ステップ１０６）、この非認証残高１０１ｃに新たな金額を書込む（ステップ１０７）。
【０００７】
前記ステップ１０４において非認証残高１０１ｃが売上代金の額より小さいと判断された場合には、非個人認証金銭取扱いによる決済の取引が不能である旨の処理を実行する（ステップ１０８）。この不能処理は、例えば金額不足等を表示又はアナウンスを行う。
他方、前記ステップ１０２において暗証番号が入力されて決済を実行すると判断された場合には、個人認証金銭取扱いで決済を実行することとなる。この個人認証金銭取扱いにおいては、一般データ領域１０２ａの暗証番号のデータを書込・読出制御部１０３を介して読出し（ステップ１０９）、この暗証番号のデータと消費者が入力した暗証番号との一致を判断する（ステップ１１０）。
【０００８】
このステップ１１０において暗証番号が一致したと判断された場合には、個人認証金銭取扱領域１０２ｂによる支払いを実行する（ステップ１１１）。この個人認証金銭取扱いによる決済が実行された後の認証残高１０２ｃを更新し（ステップ１１２）、この認証残高１０２ｃに新たな金額を書込む（ステップ１１３）。
前記ステップ１１０において暗証番号が一致しないと判断された場合には、個人認証金銭取扱いによる決済が不能である旨の処理を実行する（ステップ１１４）。
【０００９】
また、他の従来の電子キャッシングカードとしては、図５（Ｂ）にカード外観斜視図として示すものがある。この従来の電子キャッシングカード２００は、プリペイドカードタイプのカードであり、個別認証の暗証番号を要求することなく金銭の決済を実行する非個人認証金銭取扱いについての予め前払いにより設定された金額及びこの金額から決済額を差引いた残高が書込まれる非個人認証金銭取扱メモリ２０１と、前記暗証番号を要求して金銭の決済を実行する第２金銭取扱いについての予め前払いにより設定された金額及びこの金額から決済額を差引いた残高が書込まれる個人認証金銭取扱メモリ２０２とを備える構成である。
【００１０】
この非個人認証及び個人認証の各金銭取扱メモリ２０１、２０２は、共にカードの側面に磁気記録テープを貼着又は埋込むように構成される。この非個人認証及び個人認証の各金銭取扱メモリ２０１、２０２に対する決済後のデータの書込みについては前記図５（Ａ）に記載するＩＣカードタイプの電子キャッシングカードと同様に実行されることとなる。
【発明の開示】
【発明が解決しようとする課題】
【００１１】
従来の電子キャッシングカードは以上のように構成されていたことから、暗証番号を要求する個人認証金銭取扱いにおいて複数の消費者からなる１グループで金銭の決済を実行しようとすると、このグループ内の総ての消費者が各々自己の暗証番号を入力しなければならず、ＰＯＳの端末装置等の前さばきによる決済速度が遅延するという課題を有する。また、複数の消費者からなる１グループで割前勘定を行う場合に、特定者による全額支払、又は特定者による所定額を支払った後の残金に対して割前勘定を行う等の種々の決済形態が考えられるが、このような各種の決済形態を各消費者の電子キャッシングカードで実行しようとすると予め各消費者が支払う金額を算出する等の計算処理を別途行わなければならず、決済動作が複雑化すると共に、決済速度が遅延化するという課題を有する。
【００１２】
本発明は前記課題を解消するためになされたもので、単一の金銭決済を複数の電子キャッシングカードで実行する場合に割前勘定、その他各種の勘定形態に対応して決済速度を向上させると共に、電子キャッシングカードの利便性を向上させた電子キャッシングカードの決済システムを提供することを目的とする。
【課題を解決するための手段】
【００１３】
本発明に係る電子キャッシングカードの決済システムは、電子キャッシングカード内に格納された個人認証の一致を条件として、利用者がレジスターに入力した金額の決済を前記電子キャッシングカードを用いて実行する電子キャッシングカードの決済システムにおいて、前記レジスターは、前記決済の対象となる金額、暗証番号等の数値が入力される数値入力手段と、前記電子キャッシングカード内に格納された個人認証の一致を判断する個人認証判断手段と、当該個人認証の一致を条件として前記入力された金額の決済処理を実行する決済手段とを備え、前記入力された金額の決済を複数の電子キャッシングカードを用いてレジスターで単一の決済を実行する場合に、複数の電子キャッシングカードの中の一枚を代表として選択し、当該代表の電子キャッシングカードで決済された決済手段の金額が前記数値入力手段で入力された金額より少ないとき、前記代表以外の電子キャッシングカードについて個人認証を行うことなく前記決済手段が決済処理を実行するものである。このように本発明においては、複数の電子キャッシングカードの中の選択された所定枚数の代表の電子キャッシングカードにおける個人認証の一致を条件とし、この代表以外の電子キャッシングカードに対して個人認証を要求することなく、前記複数の電子キャッシングカードの総てで単一の金銭決済を実行するようにしているので、レジスター、ＰＯＳの端末装置等の前さばきによる決済速度を迅速化できる。
【００１４】
本発明に係る電子キャッシングカードの決済システムは必要に応じて、レジスターは、数値入力手段から入力された金額に対する支払い形態を選択する選択入力手段と当該選択された支払い形態に応じた前記代表の電子キャッシングカードによる決済の金額及び前記代表以外の電子キャッシングカードによる決済の金額を演算する金額演算手段とを備え、前記演算された決済の金額に基づいて決済手段が決済処理を実行するものである。このように本発明においては、選択入力手段により選択された支払い形態に応じた決済金額を金額演算手段が演算し、この演算された決済金額に基づいて決済手段が決済処理を実行しているので、複数の電子キャッシングカードの有するグループの種類又は状況に対応した支払い形態を選択できることとなり、金銭決済の態様を多様化できる。
【００１５】
本発明は係る電子キャッシングカードの決済システムは必要に応じて、複数の電子キャッシングカードに対する前記個人認証判断手段による個人認証の一致判断の順番を設定し、当該設定された順番の電子キャッシングカードに対して個人認証を行うものである。このように本発明においては、個人認証の一致判断を行う順番を設定して電子キャッシングカードの個人認証を行うようにしているので、電子キャッシングをレジスターに投入する順番に応じた金銭決済が可能となる。
【００１６】
本発明に係る電子キャッシングカードの決済システムは必要に応じて、代表の電子キャッシングカードにより前記決済の代金中の所定金額を決済し、前記代表以外の電子キャッシングカードにより前記決済の代金の残りの金額を分割した割前勘定代金を決済するものである。このように本発明においては、決済代金中の所定金額を代表の電子キャッシングカードで決済し、この決済された残りの決済代金を代表以外の電子キャッシングカードで分割して決済するようにしているので、勘定形態の多様化を図ることにより、決済速度を向上させつつ、電子キャッシングカードの利便性を向上させることができる。
【発明を実施するための最良の形態】
【００１７】
以下、本発明の一実施の形態に係る電子キャッシングカードの決済システムを図１ないし図４に基づいて説明する。図１は本実施形態に係る電子キャッシングカードの決済システムの概略ブロック構成図、図２は図１に記載の電子キャッシングカードの決済システムにおけるデータレイアウトの様式図、図３は図１に記載する電子キャッシングカードの決済システムの決済処理の各動作フローチャート、図４は図３に記載の全体概略動作フローチャートにおけるステップ５の詳細動作フローチャートを示す。
【００１８】
前記各図において本実施形態に係る電子キャッシングカードの決済システムは、前記図５に記載する従来システムにおける電子キャッシングカードとしてのＩＣカード１０（図５においては１００に相当）と同様に、金銭取扱メモリ１（図５においては１０１及び１０２に相当）、書込・読出制御部３、制御演算部４及び入出力部７を共通して備え、この構成に加え、このＩＣカード１０が投入されるＰＯＳ等の端末装置（以下、レジスター）２で前記ＩＣカード１０を複数枚使用して単一の決済を実行する際に、この複数のＩＣカード１０の中の１枚を選択し、選択された代表のＩＣカード１０の暗証番号の一致を条件とし、前記代表以外のＩＣカードの暗証番号を要求することなく前記複数のＩＣカードの総てで金銭の決済を実行する構成である。
【００１９】
前記金銭取扱メモリ１は、ＩＣカード１０についての非個人認証金銭取扱い及び個人認証金銭取扱いの双方に関して共通するデータが格納される共通領域１１と、前記非個人認証金銭取扱いに関するデータが格納される非個人認証金銭取扱領域１２と、前記個人認証金銭取扱いに関するデータが格納される個人認証金銭取扱領域１３とを備える構成である。
【００２０】
前記共通領域１１は、運営体の地区コード、カード発行の主体となる企業コード、カード番号、暗証番号を含む個人情報及び時限情報についてのデータが含まれる。前記非個人認証金銭取扱領域１２は、非個人認証金銭取扱いによる売上代金の決算処理を実行した出金内容を所定のデータフォーマットで履歴として格納する出金内容履歴領域１２ａと、この売上代金の決済処理を実行した後の非個人認証金銭取扱いにより使用できる金額の非認証残高を所定のデータフォーマットで格納する残高領域１２ｂと、非個人認証金銭取扱いを実行する際の各種制限情報を所定のデータフォーマットで格納する制限情報領域１２ｃとを備える構成である。
【００２１】
前記個人認証金銭取扱領域１３は、個人認証金銭取扱いによる売上代金の決算処理を実行した出金内容を所定のデータフォーマットで履歴として格納する出金内容履歴領域１３ａと、この売上代金の決済処理を実行した後の個人認証金銭取扱いにより使用できる金額の認証残高を所定のデータフォーマットで格納する残高領域１３ｂと、個人認証金銭取扱いに対する入金内容を所定のデータフォーマットで履歴として格納する入金内容履歴領域１３ｃとを備える構成である。
【００２２】
前記レジスター２は消費者が決済動作を入力する携帯入力ボード２０が取り外し自在に配設される構成である。この携帯入力ボード２０は、前記ＩＣカード１０を投入する投入口２０ａと、電源スイッチ２１と、決済処理動作を指示する指示表示部２２と、各種数値を入力するテンキー２３と、各種の処理動作を指示入力する指示入力部２４ないし２８と、入力された内容等を表示する表示部２９とを備える構成である。
【００２３】
次に、前記構成に基づく本実施形態に係る電子キャッシングカードの決済システムで実行される決済処理動作につてい説明する。
まず、前提としてＩＣカード１０を各々有する複数の消費者が店舗等で買い物をしてこの複数の消費者全員で単一の決済を実行しようとする場合において、店舗のレジスター２の操作者から前記複数の消費者の特定の一人にレジスター２の携帯入力ボード２０が渡される。この特定の消費者は携帯入力ボード２０の指示表示部２２に電光表示される指示内容に従って売上代金の入力処理を実行する（ステップ１）。
【００２４】
この入力処理は、前記指示表示部２２の「カードを入れて下さい」の指示に従って前記特定の消費者が有するＩＣカード１０を携帯入力ボード２０の投入口２０ａに投入し、割前勘定（以下割勘）の有無等を入力する。この携帯入力ボード２０の表示部２９には、前記レジスター２の図示を省略する入力部又は携帯入力ボード２０のテンキー２３から入力された精求金額が表示される（ステップ２）。
【００２５】
この精求金額を表示した後に、前記特定の消費者が割勘の勘定形態で決済処理を実行するか否かをレジスター２が判断する（ステップ３）。さらに、レジスター２は、ＩＣカード１０の非個人認証金銭取扱領域１２における制限情報領域１２ｃに格納される非個人認証金銭取扱いで取扱える金額の上限値（以下、金額上限値）と前記精求金額とを比較する（ステップ４）。
【００２６】
このステップ４において金額上限値より精求金額が大きな値と判断された場合には、携帯入力ボード２０の指示表示部２２に「暗証番号の金額を入れて下さい」を発光表示し、この表示内容を前記特定の消費者が確認して自己のＩＣカード１０における暗証番号をテンキー２３を介して入力する（ステップ５１）。この暗証番号を入力した特定の消費者は精算動作を実行する（ステップ５２）。
【００２７】
この特定の消費者が精算動作を実行した後は、他の残りの消費者が自己のＩＣカード１０の各暗証番号を入力することなく、ＩＣカード１０により各々の精算動作が実行される毎に、精求金額と精算金額の合計とが等しいか否かを判断する（ステップ５４）。このステップ５４において精求金額が精算合計と等しくないと判断された場合には、前記ステップ５１に戻り再度前記動作を繰り返すこととなる。
【００２８】
また、前記ステップ５４において精求金額と精算金額の合計とが等しいと判断された場合には、精算動作を終了する。また、前記ステップ４において、金額上限値よりも精求金額が等しいか又は小さい値の場合には、暗証番号を入力することなく精算処理を実行して終了する（ステップ６）。
【００２９】
前記ステップ３において割勘による精算を実行すると判断された場合には、さらに金額上限値と精求金額とを比較してその大小を判断する（ステップ７）。このステップ７において金額上限値よりも精求金額が大きい値と判断された場合には、前記特定の消費者が暗証番号を入力して精求金額の総てを単独で精算する（ステップ８）。
また、前記ステップ７において金額上限値よりも精求金額が小さいか又は等しい値と判断された場合には暗証番号を入力することなく精算処理を実行して終了する（ステップ９）。
なお、前記ステップ５における割勘の勘定形態における精算動作を図４に示すように構成することもできる。
【００３０】
同図における割勘の勘定形態は、前記図３と同様にステップ１ないしステップ９を実行する。このステップ４において金額上限値よりも精求金額が大きい値と判断された場合に、精算の支払形態を指示入力部２４のファンクションキーＦ１、〜、Ｆ４を操作することにより選択する（ステップ５０１）。このファンクションキーＦ１、〜、Ｆ４は、割勘の支払形態が均等な金額に分割した均等支払いの場合（Ｆ１）、特定者による全額又は一部額の支払いを行った後に残余の精求金額を分割して支払う場合（Ｆ２）、各消費者が個別な金額を登録して各々がこの登録した額を割勘で支払う場合（Ｆ３）、各消費者が個人毎に割勘の金額を支払う場合（Ｆ４）が設定されている。
【００３１】
前記Ｆ１の均等支払いモード（Ｆ１）を指示入力部２４の操作キーを押下することにより選択した場合には（ステップ５０２）、均等に支払う消費者の人数をテンキー２３を介して入力する（ステップ５０３）。この入力された支払い人数で精求金額を割って割勘金額を演算する（ステップ５０４）。
この演算された割勘金額と前記金額上限値とを比較してその大小を判断する（ステップ５０５）。このステップ５０５において金額上限値より割勘金額が大きいと判断された場合には、特定の消費者が代表として暗証番号を入力すると共に、割勘金額の精求を実行する（ステップ５０６）。
【００３２】
この特定消費者による割勘金額の精算が実行された後、及び前記ステップ５０５で金額上限値が割勘金額より大きい値と判断された場合には、割勘の残余人数が「０」か否かを判断する（ステップ５０７）。このステップ５０７において残余人数が「０」でないと判断された場合には、特定の消費者及び特定以外の消費者は暗証番号を入力することなく、各割勘金額の精算を実行する（ステップ５０８）。この各消費者の精算動作が実行される毎に、精算完了か否かを判断し（ステップ５０９）、完了したと判断されない場合には前記ステップ５０７に戻り前記動作を繰り返すこととなる。
【００３３】
前記指示入力部２４のＦ２の動作の操作キーが押下されて特定支払いモード（Ｆ２）が選択された場合には（ステップ５１０）、この特定のＩＣカード１０が投入口２０ａの投入口に投入されて暗証番号が入力される（ステップ５１１）。この暗証番号を入力した特定者は精求金額のうちの所定金額（例えば精求金額の３分の１）を精算する（ステップ５１２）。
【００３４】
この所定金額が精算された残りの精求金額（例えば精求金額の３分の２）を均等に分割するか否かを判断し（ステップ５１３）、均等分割による精算と判断された場合には特定者以外の残りの消費者である支払い人数を入力する（ステップ５１５）。この入力された支払い人数で残りの精求金額を割って割勘金額を算出する（ステップ５１５）。この割勘金額を残りの消費者は、前記ステップ５０７に戻りステップ５０９までの動作を繰り返すこととなる。
【００３５】
前記指示入力部２４のＦ３の操作キーが押下されて特定割当て支払いモード（Ｆ３）が選択された場合には（ステップ５１６）、支払いを行う各消費者が割振られた金額を登録する（ステップ５１７）。この各消費者へ割振られる金額は、例えば、複数の消費者の中に男性と女性が混在している場合に、男性については３０００円、女性については１５００円に設定する場合、又は会社の役職により異なる金額を設定する場合等がある。
【００３６】
このように割当額が登録されると、その登録が１人目の登録か否かを判断する（ステップ５１８）。１人目であると判断された場合には、この判断された消費者が携帯入力ボード２０のテンキー２３を操作して暗証番号を入力する（ステップ５１９）。この暗証番号の入力と共に、登録された割当額の精算を実行する（ステップ５２０）。この精算動作で割当額に達したか否かを判断されるまで前記ステップ５２０を繰り返し実行する（ステップ５２１）。このステップ５２１で割当額に達したと判断された場合には、その割勘金額が均等か否かが判断され（ステップ５２２）、均等でないと判断された場合には、前記ステップ５１７に戻り前記動作（ステップ５１７ないし５２２）を繰り返すこととなる。
【００３７】
また、前記ステップ５２２において均等の割勘金額と判断された場合には、前記ステップ５１４に戻り、前記動作（ステップ５１４ないし５１５及びステップ５０７ないし５０９）を繰り返すこととなる。
【００３８】
前記指示入力部２４のＦ４動作の操作キーが押下されて個人毎支払いモード（Ｆ４）が選択された場合には、支払いを行う各消費者毎の金額が割勘金額を支払うこととなる（ステップ５２３）。例えば、複数の消費者が個々異なる食事をして店舗であるレストランで各食事の支払いをする場合に、自己の食事代金に相当する金額が割勘金額となる。
【００３９】
この場合に、複数の消費者のうち携帯入力ボード２０の投入口２０ａにＩＣカード１０を投入する１人目か否かを判断する（ステップ５２４）。このステップ５２４において１人目の消費者と判断された場合には、１人目の消費者が暗証番号を携帯入力ボード２０のテンキー２３を介して入力する（ステップ５２５）。この暗証番号の入力と共に、自己の割勘金額を精算処理する（ステップ５２６）。さらに、この精算処理が継続するか否かを判断し（ステップ５２７）、この判断で継続しないとされた場合には、精求金額に対する精算後の残金が「０」か否かを判断する（ステップ５２８）。
【００４０】
残金が「０」、即ち精求金額の支払いをＩＣカード１０のみによる実行が終了したと判断された場合には、ＩＣカード及び現金の併用による支払いの精算を実行する（ステップ５３０）。さらに、この現金による精算に伴って生じる現金分戻し処理を実行して終了する（ステップ５３１）。
【００４１】
また、前記ステップ５２４で１人目でないと判断された場合、前記ステップ５２７で継続すると判断された場合、前記ステップ５２９で精算動作が終了していないと判断された場合には、いづれもステップ５２６に戻り、前記動作（ステップ５２６ないし５３１）を繰り返すこととなる。
なお、前記実施形態においては店舗に備えたレジスター２で各制御動作を実行する構成としたが、ＰＯＳの中央管理センター等の中央演算部で実行する構成とすることもできる。
【図面の簡単な説明】
【００４２】
【図１】本発明の実施形態に係る電子キャッシングカードの決済システムの概略ブロック構成図である。
【図２】図１に記載の電子キャッシングカードの決済システムにおけるデータレイアウトの様式図である。
【図３】図１に記載の電子キャッシングカードの決済システムの決済処理の全体概略動作フローチャートである。
【図４】図３に記載の全体概略動作フローチャートにおけるステップ５の詳細動作フローチャートである。
【図５】（Ａ）は従来システムの電子キャッシングカードにおけるＩＣカードタイプの概略ブロック構成図である。
【００４３】
（Ｂ）は他の従来の電子キャッシングカードのカード外観斜視図である。
【図６】図５（Ａ）に記載のＩＣカードタイプにおけるデータレイアウト様式図である。
【図７】図５（Ａ）に記載の従来システムの電子キャッシングカードの非個人認証及び個人認証金銭取扱いにおける決済動作フローチャートである。
【符号の説明】
【００４４】
１  金銭取扱メモリ
２  レジスター
３、１０３  書込・読出制御部
４、１０４  制御演算部
５  同期処理部
６  比較演算部
７、１０７  入出力部
１０  ＩＣカード
１１  共通領域
１２  非個人認証金銭取扱領域
１２ａ、１３ａ  出金内容履歴領域
１２ｂ、１３ｂ  残高領域
１２ｃ  制限情報領域
１３  個人認証金銭取扱領域
１３ｃ  入金内容履歴領域
２０  携帯入力ボード
２０ａ  投入口
２１  電源スイッチ
２２  指示表示部
２３  テンキー
２４、２５、２６、２７、２８  指示入力部
２９  表示部
１００、２００  電子キャッシングカード
１０１、２０１  非個人認証金銭取扱メモリ
１０１ａ、１０２ａ  一般データ領域
１０１ｂ  非個人認証金銭取扱領域
１０１ｃ  非認証残高
１０２、２０２  個人認証金銭取扱メモリ
１０２ｂ  個人認証金銭取扱領域
１０２ｃ  認証残高
【図１】
2005115962.tif 000003
【図２】
2005115962.tif 000004
【図３】
2005115962.tif 000005
【図４】
2005115962.tif 000006
【図５】
2005115962.tif 000007
【図６】
2005115962.tif 000008
【図７】
2005115962.tif 000009